(57)【特許請求の範囲】
【請求項１】
被介護者（Ｂ）の肩から大腿までの長さにほぼ相当する長さで平面的に見て細長い長方形状の当てベルト部（２）と、
当てベルト部（２）の長手方向の両端に各々設けられて、介護者（Ａ）が両手で掴むための掴み部（１６、２６または２７）と、
を備えた介助ベルト（１）であって、
各掴み部（１６、２６または２７）は、介助ベルト（１）を側面から見たときに輪状に形成されており、手の指を掴み部（１６、２６または２７）の中に当てベルト部（２）の幅方向へ通して掴むことができ、
介助ベルト（１）の使用時には、ベッド（３０）に仰向けに寝た被介護者（Ｂ）の脇に、当てベルト部（２）が被介護者（Ｂ）の肩から大腿に来るように介助ベルト（１）が配置され、被介護者（Ｂ）に対し介助ベルト（１）とは反対側のベッド脇から介護者（Ａ）が首下越しに一方の手の小指から人差し指までの４本の指を、当てベルト部（２）の一端側の掴み部（１６）の中に介護者（Ａ）から見て手前側から奥側となる当てベルト部（２）の幅方向へ通して掴むとともに、大腿下越しに他方の手の小指から人差し指までの４本の指を、当てベルト部（２）の他端側の掴み部（２６または２７）の中に介護者（Ａ）から見て手前側から奥側となる当てベルト部（２）の幅方向へ通して掴み、両手で両掴み部（１６、２６または２７）を引き上げると、当てベルト部（２）が被介護者（Ｂ）の背中と大腿に当接して被介護者（Ｂ）の背中と大腿をベッド（３０）から引き上げ、続いて被介護者の首側の掴み部を奥へ移動し、大腿側の掴み部を手前に移動すると、被介護者（Ｂ）に当接している当てベルト部（２）が、被介護者（Ｂ）をベッド（３０）に載ったでん部を軸にベッド脇向きに回してベッド（３０）の脇に腰掛けた状態とさせること、
を特徴とする介助ベルト。
【請求項２】
当てベルト部（２）の長手方向の両端に設けられた掴み部（１６、２６または２７）の内、一端側の掴み部（２６、２７）を、当てベルト部（２）の長手方向に複数併設したこと、
を特徴とする請求項１記載の介助ベルト。
【発明の詳細な説明】
【技術分野】
【０００１】
本発明は介助ベルトに係り、とくに介護対象者をベッドから起こす起床介助を行う際に好適な介助ベルトに関する。
【背景技術】
【０００２】
自力での起床や、ベッドから車椅子への移乗が困難で介護を必要とする高齢者が増大している。けれども、介護者が被介護者を抱きかかえてベッドから起こしたり、ベッドから車椅子に移乗させることは大変な重労働であり、腰痛を引き起こすなどの問題が生じている。従来から、介護者の負担軽減を図るための介助補助具が提案されている。この補助具は、ベッドに仰向けに寝た被介護者を起床させる際に、被介護者の背中側に肩から腰に掛けて斜めに回したベルトの両端を面ファスナーにより介護者の着用したベストの背中側の肩と腰に装着し、介護者と被介護者の密着度を高め、介護者の上体を起こす動作に連動して被介護者を起こすことにより、介護者の腕や腰に掛かる負担を軽減するようにしたものである（特許文献１）。
けれども、上記した補助具では、介護者が特殊なベストを着用しなければならない欠点があった。
【先行技術文献】
【特許文献】
【０００３】
【特許文献１】特許第４７７８０９９号公報
【発明の概要】
【発明が解決しようとする課題】
【０００４】
本発明は上記した従来技術の問題に鑑みなされたもので、シンプルな構成で起床介助が可能な介助ベルトを提供することを、その目的とする。
【課題を解決するための手段】
【０００５】
請求項１記載の発明では、
被介護者（Ｂ）の肩から大腿までの長さにほぼ相当する長さで平面的に見て細長い長方形状の当てベルト部（２）と、
当てベルト部（２）の長手方向の両端に各々設けられて、介護者（Ａ）が両手で掴むための掴み部（１６、２６または２７）と、
を備えた介助ベルト（１）であって、
各掴み部（１６、２６または２７）は、介助ベルト（１）を側面から見たときに輪状に形成されており、手の小指から人差し指までの４本の指を掴み部（１６、２６または２７）の中に当てベルト部（２）の幅方向へ通して掴むことができ、
介助ベルト（１）の使用時には、ベッド（３０）に仰向けに寝た被介護者（Ｂ）の脇に、当てベルト部（２）が被介護者（Ｂ）の肩から大腿に来るように介助ベルト（１）が配置され、被介護者（Ｂ）に対し介助ベルト（１）とは反対側のベッド脇から介護者（Ａ）が首下越しに一方の手の小指から人差し指までの４本の指を、当てベルト部（２）の一端側の掴み部（１６）の中に介護者（Ａ）から見て手前側から奥側となる当てベルト部（２）の幅方向へ通して掴むとともに、大腿下越しに他方の手の小指から人差し指までの４本の指を、当てベルト部（２）の他端側の掴み部（２６または２７）の中に介護者（Ａ）から見て手前側から奥側となる当てベルト部（２）の幅方向へ通して掴み、両手で両掴み部（１６、２６または２７）を引き上げると、当てベルト部（２）が被介護者（Ｂ）の背中と大腿に当接して被介護者（Ｂ）の背中と大腿をベッド（３０）から引き上げ、続いて被介護者の首側の掴み部を奥へ移動し、大腿側の掴み部を手前に移動すると、被介護者（Ｂ）に当接している当てベルト部（２）が、被介護者（Ｂ）をベッド（３０）に載ったでん部を軸にベッド脇向きに回してベッド（３０）の脇に腰掛けた状態とさせること、
を特徴としている。
請求項２記載の発明では、
当てベルト部（２）の長手方向の両端に設けられた掴み部（１６、２６または２７）の内、一端側の掴み部（２６、２７）を、当てベルト部（２）の長手方向に複数併設したこと、
を特徴としている。
【発明の効果】
【０００６】
本発明によれば、ベッドに仰向けに寝た被介護者の脇に、当てベルト部が被介護者の肩から大腿に来るように介助ベルトを配置し、被介護者に対し介助ベルトとは反対側のベッド脇から介護者が首下越しに一方の手の小指から人差し指までの４本の指を、当てベルト部の一端側の掴み部の中に介護者から見て手前側から奥側となる当てベルト部の幅方向へ通して掴むとともに、大腿下越しに他方の手の小指から人差し指までの４本の指を、当てベルト部の他端側の掴み部の中に介護者から見て手前側から奥側となる当てベルト部の幅方向へ通して掴み、両手で両掴み部を引き上げると、当てベルト部が被介護者の背中と大腿に当接して被介護者の背中と大腿をベッドから引き上げ、被介護者の上体からでん部までが自然に丸みのある姿勢に維持されるため、被介護者のベッドに載ったでん部を軸に容易に向きを変えられる。また、掴みやすい掴み部を両手で掴むだけで被介護者を起床させ易い姿勢にでき、被介護者の上体を両手で直接抱き起こさなくて済み、起床介助時の介護者の負担が著しく軽減し、安全な起床介助が可能となる。また、被介護者も起床介助を受けている間、当てベルト部で身体が支えられるので、無理な姿勢とならず、痛みが生じ難い。また、介助ベルトだけで起床介助が可能となり、他の特殊な装備が不要となる。
【図面の簡単な説明】
【０００７】
【図１】本発明の一実施例に係る介助ベルトの平面図である（実施例１）。
【図２】図１の介助ベルトの底面図である。
【図３】図１の介助ベルトの側面図である。
【図４】介助ベルトを介護者の上半身にタスキ掛けした状態を示す説明図である。
【図５】介助ベルトによる起床介助の説明図である。
【図６】介助ベルトによる起床介助の説明図である。
【図７】介助ベルトによる起床介助の説明図である。
【図８】介助ベルトによる起床介助の説明図である。
【図９】介助ベルトによる起床介助の説明図である。
【図１０】介助ベルトによる起床介助の説明図である。
【図１１】介助ベルトによる起床介助の説明図である。
【図１２】介助ベルトによる移乗介助の説明図である。
【図１３】介助ベルトによる移乗介助の説明図である。
【図１４】介助ベルトによる移乗介助の説明図である。
【図１５】介助ベルトによる車両内での向き変えの方法を示す説明図である。
【図１６】介助ベルトによる車両内での向き変えの方法を示す説明図である。
【図１７】介助ベルトによる車両内での向き変えの方法を示す説明図である。
【図１８】介助ベルトによる車両内での向き変えの方法を示す説明図である。
【発明を実施するための最良の形態】
【０００８】
以下、本発明の最良の形態を実施例に基づき説明する。
【実施例１】
【０００９】
図１は本発明の一実施例に係る介助ベルトの平面図、図２は介助ベルトの底面図、図３は介助ベルトの側面図である。
これらの図において、１は介助ベルト、２は厚手の布製の当てベルト部であり、被介護者の肩から大腿までの長さにほぼ相当する長さを有している。具体的には、幅が４乃至７ｃｍ程度、長さが５０乃至７０ｃｍ程度に形成されている。３と４は当てベルト部２の両端部に縫着により設けられた掴みベルト部である。
掴みベルト部３は長さの異なる上下２枚の厚手で細長の帯状の布体５と６の右端部が当てベルト部２を挟むようにして縫い目７により、当てベルト部２の左端部に縫着されており、２枚の布体５、６が当てベルト部２の左端より外側の間隔の狭い３箇所の縫い目８、９、１０と間隔の広い縫い目１１により縫い合わされて、隣接する２つの小さい輪部１２、１３から成る指掛け部１４Ａ、１４Ｂと、この指掛け部１４Ａ、１４Ｂに併設された大きい輪部１５からなる掴み部１６とが形成されている。掴み部１６の外側の底面側には、留め具としてのオス側スナップボタン１７が縫着されている。なお、後述するように掴み部１６は指掛け部としても使用できる。
掴みベルト部４も長さの異なる上下２枚の厚手で細長の布体１８と１９の左端部が当てベルト部２を挟むようにして縫い目２０により、当てベルト部２の右端部に縫着されており、２枚の布体１８、１９が当てベルト部２の右端より外側の間隔の広い３箇所の縫い目２１乃至２３により縫い合わされて、隣接する２つの大きい輪部２４、２５から成る掴み部２６、２７が併設的に形成されている。掴み部２７の表面と掴み部２７の外側の布体１８の表面には、留め具としてのメス側スナップボタン２８、２９が縫着されている。
【００１０】
次に、上記した介助ベルト１の使用方法を説明する。
介護者Ａは介助ベルト１の非使用時、上半身にタスキ掛けし、オス側スナップボタン１７をメス側スナップボタン２８または２９に留めて保持する（図４参照）。これにより、両手が空くので介護オムツ等の他の用具を持つことができる。
【００１１】
（１）起床介助
図５に示す如くベッド３０に仰向けに寝た被介護者Ｂをベッド脇に腰掛た状態に起こしたい場合、介護者Ａはベッド３０の脇の外に立ち、被介護者Ｂの奥側の脇に沿って介助ベルト１を配置する。この際、掴みベルト部３、４のいずれが肩側に来ても良いが、図５では掴みベルト部３を肩側に配置した例を示す。
次に、介護者Ａは被介護者Ｂの首下越しに掴みベルト部３の掴み部１６を掴み（図６参照）、大腿下越しに掴みベルト部４の掴み部２６または２７を掴み、被介護者Ｂの背中と大腿を引き上げる（図７、図８参照）。若し、被介護者Ｂの身体の大きさと介護者Ａの両手の間隔が合わない場合は、掴み部２６または２７を変えて掴む。図７では掴み部２６を掴んでいるが、図８では２７に掴み変えている。
被介護者Ｂの背中と大腿を引き上げると、当てベルト部２により被介護者Ｂの上体からでん部までが自然に丸みのある姿勢に維持されるため、でん部を軸に向きを変え易くなる。そこで、介護者Ａは被介護者Ｂの背中と大腿を引き上げたまま左手の掴み部１６を奥へ移動し、右手の掴み部２７を手前へ移動し、被介護者Ｂをでん部を軸にベッド３０の脇に向く方向へ約９０度回すことにより、被介護者Ｂをベッド３０の脇に腰掛けた状態に起床させることができる（図９乃至図１１参照）。
このようにして、介護者Ａは介助ベルト１の掴みやすい掴み部１６と、２６または２７を両手で掴み、引き上げるだけで被介護者Ｂを起床させ易い姿勢にでき、被介護者Ｂの上体を両手で直接抱き起こさなくて済み、起床介助時の介護者Ａの負担が著しく軽減し、安全な起床介助が可能となる。また、被介護者Ｂも起床介助を受けている間、当てベルト部２で身体が支えられるので、無理な姿勢とならず、痛みが生じ難い。
【００１２】
（２）移乗介助
被介助者Ｂをベッド３０の脇に腰掛けた状態から車椅子に移乗させたい場合、被介護者Ｂに向き合う姿勢で介護者Ａが被介護者Ｂの背中に手の甲を当てるように背中に回した両親指を指掛け部１４Ａと１４Ｂ、または掴み部１６に掛け、抱き上げる（図１２、図１３参照）。なお、図１２、図１３では掴み部１６に両親指を掛けた例を示すが、指掛け部１４Ａと１４Ｂに掛けても良い。そして、ベッド３０の脇に置いた車椅子４０に被介助者Ｂを降し、移乗させる（図１４参照）。
ここで、介護者Ａは被介護者Ｂの背中に手のひらを当てて抱き上げようとすると力が入り難いが、手の甲側を当てて抱き上げると腕にしっかり力が入ることが知られている。けれども、補助具を使わず、手が自由な状態では介護者Ａの自身の姿勢を安定させるために高度な技術が必要となる。この点、この実施例では、介護者Ａの両親指を指掛け部１４Ａと１４Ｂ、または掴み部１６に掛けることで、安定した姿勢が整えられるので、楽に安全に移乗可能となり、被介護者Ｂは身体への負担を少なく感じることができ、介護者Ａも腰痛防止となる。
【００１３】
（３）車両から車椅子への移乗介助
被介助者Ｂを車両の椅子から降ろして外に置いた車椅子に移乗させたい場合、介護者Ａは開けたドアの外側から被介護者Ｂの奥側の肩または二の腕から大腿に掛けて当てベルト部２を当て、首または肩越しに上側の掴み部１６を掴み、大腿下越しに下側の掴み部２６または２７を掴む（図１５参照。なお、図１５以下の図では符号５０の椅子を車両の椅子と見立てている）。そして、掴み部２６または２７を手前の上方へ引っ張ると、でん部を軸に当てベルト部２により被介護者Ｂの上体からでん部までが自然に丸みのある姿勢に維持されるため、でん部を軸に向きを変え易くなる（図１６参照）。そこで、介護者Ａは被介護者Ｂの大腿を引き上げたまま掴み部２６または２７を手前へ移動することで、被介護者Ｂをでん部を軸に椅子５０の側方へ約９０度回した腰掛けた状態にすることができる（図１７、図１８参照）。
あとは、図１２乃至図１４と同様にして、車椅子へ移乗させれば良い。
【００１４】
この実施例によれば、ベッド３０に仰向けに寝た被介護者Ｂの脇に介助ベルト１を配置し、介助ベルト１とは反対側のベッド脇から介護者Ａが両手で首下越しと大腿下越しに掴み部１６と、２６または２７を掴み、被介護者Ｂの背中と大腿を引き上げると、当てベルト部２により被介護者Ｂの上体からでん部までが自然に丸みのある姿勢に維持されるため、でん部を軸に向きを変え易くなる。また、掴みやすい掴み部１６と、２６または２７を両手で掴むだけで被介護者Ｂを起床させ易い姿勢にでき、被介護者Ｂの上体を両手で直接抱き起こさなくて済み、起床介助時の介護者Ａの負担が著しく軽減し、安全な起床介助が可能となる。また、被介護者Ｂも起床介助を受けている間、当てベルト部２で身体が支えられるので、無理な姿勢とならず、痛みが生じ難い。また、介助ベルト１だけで起床介助が可能となり、他の特殊な装備が不要となる。また、当てベルト部２の少なくとも一端側に掴み部２６、２７を長手方向に複数併設したことにより、１つの介助ベルト１で身体の大きさの異なる被介護者Ｂに使用できる。
また、ベッド脇に腰掛けた被介護者Ｂに向き合う姿勢で介護者Ａが被介護者Ｂの背中に手の甲を当てるように背中に回した両親指を指掛け部１４Ａと１４Ｂ、または指掛け部兼用の掴み部１６（または２６、２７）に掛け、抱き上げることで、介護者Ａが腕にしっかり力を入れて被介護者Ｂを立たせ、車椅子等へ移乗可能となる。
また、非使用時、留め具としてのオス側スナップボタン１７と、メス側スナップボタン２８または２９により、介助ベルト１を介護者Ａの上半身にタスキ掛けにして保持でき、手に介護オムツ等の他の用具を持つことが可能である。
また、介助ベルト１を使用することで、車両内の椅子からドア外の車椅子への移乗も容易にできる。
また、介助ベルト１を使用することで、着替え等のため、立ち上がった被介護者Ｂに対して、被介護者Ｂに向き合う姿勢で介護者Ａが被介護者Ｂの背中に手の甲を当てるように背中に回した両親指を指掛け部に掛け、介護者Ａが腕にしっかり力を入れて被介護者Ｂを安定した立ち姿勢に保つ立位介助を可能となる。
【００１５】
なお、上記した実施例では留め具をスナップボタンとする例を挙げたが、両側の掴みベルト部に装着したメス側面ファスナー及びオス側面ファスナーとしても良い。
【産業上の利用可能性】
【００１６】
本発明は、介護現場、医療現場等でベッドからの起床介助、ベッド等から車椅子等への移乗介助などを行ないたい場合に適用可能である。
【符号の説明】
【００１７】
１  介助ベルト
２  当てベルト部
１４Ａ、１４Ｂ  指掛け部
１６、２６、２７  掴み部
１７  オス側スナップボタン
２８、２９  メス側スナップボタン
【要約】
【課題】  シンプルな構成で起床介助が可能な介助ベルトを提供する。
【解決手段】  介助ベルト１は被介護者の肩から大腿までの長さにほぼ相当する長さの厚手の布製の当てベルト部２を有する。当てベルト部２の両端部に縫着により掴みベルト部３と４が設けられている。掴みベルト部３には隣接する２つの小さい輪部１２、１３から成る指掛け部１４Ａ、１４Ｂと、この指掛け部１４Ａ、１４Ｂに併設された大きい輪部１５からなる掴み部１６とが形成されている。掴みベルト部４には隣接する２つの大きい輪部２４、２５から成る掴み部２６、２７が併設的に形成されている。掴み部１６の外側の底面側には、留め具としてのオス側スナップボタン１７が縫着されている。掴み部２７の表面と掴み部２７の外側の布体１８の表面には、留め具としてのメス側スナップボタン２８、２９が縫着されている。
【選択図】        図３【図１】
0005965514.tif 000002
【図２】
0005965514.tif 000003
【図３】
0005965514.tif 000004
【図４】
0005965514.tif 000005
【図５】
0005965514.tif 000006
【図６】
0005965514.tif 000007
【図７】
0005965514.tif 000008
【図８】
0005965514.tif 000009
【図９】
0005965514.tif 000010
【図１０】
0005965514.tif 000011
【図１１】
0005965514.tif 000012
【図１２】
0005965514.tif 000013
【図１３】
0005965514.tif 000014
【図１４】
0005965514.tif 000015
【図１５】
0005965514.tif 000016
【図１６】
0005965514.tif 000017
【図１７】
0005965514.tif 000018
【図１８】
0005965514.tif 000019